(57)【特許請求の範囲】
【請求項１】
内部に保管物を収納することができる包装袋（５００）と前記包装袋（５００）を収容する箱体（１００）を備え、前記包装袋（５００）に連結され、空気が通過する排出バルブ（Ｖ）が前記箱体（１００）の壁面に形成され、前記排出バルブ（Ｖ）を通じて包装袋（５００）の内部空気を吸いこんで包装袋（５００）に収納された保管物を真空包装し、
前記排出バルブ（Ｖ）は、包装袋（５００）に空気が逆流することを制限し、
前記排出バルブ（Ｖ）は、前記包装袋（５００）の内側から前記包装袋（５００）及び箱体（１００）の壁面を貫通して固定され、電気掃除機の吸入管（６００）が連結されるインナーカプラー（２００）；を含み、
前記インナーカプラー（２００）は、空気を排出する排出孔（２０２）が形成され、アウターカプラー（３００）に螺合する締結部（２１０）；前記締結部（２１０）の内周面に備えられ、電気掃除機の吸入管（６００）に結合される吸入管結合部（２２０）；前記締結部（２１０）の内側端部に放射状に伸びて前記包装袋（５００）を前記箱体（１００）の内壁に密着固定させる結合フランジ（２３０）；及び前記結合フランジ（２３０）の内側に収容され、板状となり、胴体の中央部に空気の流れを一方向に制御する開閉門（２４２）を持つチェックプレート（２４０）；を含む、包装袋を用いた真空包装容器。
【請求項２】
前記結合フランジ（２３０）の前面には密着面（２３２）が形成され、前記密着面（２３２）は多数の環状突起が形成され、前記包装袋（５００）が前記箱体（１００）と前記密着面（２３２）の間で分離されることを防止することを特徴とする、請求項１に記載の包装袋を用いた真空包装容器。
【請求項３】
前記開閉門（２４２）は弾性復元力を有することを特徴とする、請求項１に記載の包装袋を用いた真空包装容器。
【請求項４】
前記開閉門（２４２）の外周面には、箱体（１００）の内壁方向に外側直径が内側直径より大きな傾斜面（２４４）が形成され、前記チェックプレート（２４０）には前記傾斜面（２４４）が装着できるように傾斜装着面（２４６）が形成され、前記包装袋（５００）にかかる負圧によって前記開閉門（２４２）がチェックプレート支持部（２５０）の排出口（２５２）に移動することを防止することを特徴とする、請求項１に記載の包装袋を用いた真空包装容器。
【請求項５】
内部に保管物を収納することができる包装袋（５００）と前記包装袋（５００）を収容する箱体（１００）を備え、前記包装袋（５００）に連結され、空気が通過する排出バルブ（Ｖ）が前記箱体（１００）の壁面に形成され、前記排出バルブ（Ｖ）を通じて包装袋（５００）の内部空気を吸いこんで包装袋（５００）に収納された保管物を真空包装し、
前記排出バルブ（Ｖ）は、包装袋（５００）に空気が逆流することを制限し、
前記排出バルブ（Ｖ）は、前記包装袋（５００）の内側から前記包装袋（５００）及び箱体（１００）の壁面を貫通して固定され、電気掃除機の吸入管（６００）が連結されるインナーカプラー（２００）；を含み、
前記インナーカプラー（２００）は、空気を排出する排出孔（２０２）が形成され、アウターカプラー（３００）に螺合する締結部（２１０）；前記締結部（２１０）の末端に形成され、電気掃除機の吸入管（６００）と結合される吸入管結合部（２２０）；前記締結部（２１０）の内側端部に放射状に伸びて前記包装袋（５００）を前記箱体（１００）の内壁に密着固定させる結合フランジ（２３０）；前記吸入管結合部（２２０）の内部に収容されて排出孔（２０２）を密閉する密閉栓（２８０）；を含み、前記密閉栓（２８０）は長手方向に沿って切開スリット（２８３）が形成された作動棒（２８２）を備え、前記作動棒（２８２）が排出孔（２０２）を貫通してスプリング（２８６）と嵌合されたままで反対側で支持ナット（２８４）で締結されることにより、排出孔（２０２）からの離脱が防止されるように設置され、吸入管（６００）を通じて空気が吸入されれば引かれて排出孔（２０２）を開放し、空気の吸入が止まれば元の位置に復帰して排出孔（２０２）を密閉することを特徴とする、包装袋を用いた真空包装容器。
【発明の詳細な説明】
【技術分野】
【０００１】
本発明は包装袋を用いた真空包装容器に係り、特に、一般的な包装袋を用いて、季節変化によって使われない寝具類及び衣類などを真空包装可能とし、真空包装された物品を容器に保管可能にする包装袋を用いた真空包装容器に関する。
【背景技術】
【０００２】
季節変化によって使われない寝具類及び衣類などは別途の空間に一定期間保管することになる。このような保管物は、その体積が大きな場合には、保管時に広い収納空間を必要とし、空気などに露出した状態で保管されることによって湿気などによるかびの発生やキクイムシの繁殖で保管物が毀損される問題点があるため、寝具類、衣類などの体積の大きな物品を狭小な空間に保管して保管物の毀損を防止するために真空包装が提案された。
【０００３】
従来、真空包装の例としては、包装袋の上端にファスナー部材が設けられた真空圧縮パックがある。この真空圧縮パックは、体積の大きな物品を入れ、包装袋の上端に電気掃除機の吸入管を入れ、内部を大気圧より低い圧力の状態にすることで、大気圧によってビニル包装に収納された物品が圧縮されるようにした後、包装袋の上端のファスナー部材を締め付けることにより、小体積に縮小するようにして最小の空間に体積の大きな物品を保管するようにする。
【０００４】
このような真空圧縮パックはその圧縮形態が一定でなく、不規則に圧縮された状態となるものなので、多数を積層すれば一側に倒れるしかないものである。
【０００５】
このような問題点を解消するために、特許文献１（圧縮パックのパッキング構造、２００３．９．２）が提案されたことがあり、これを図１及び図２に示す。同図に示すように、前記圧縮パックのパッキング構造は、寝袋類、衣類などの収納対象物を収納することができる収納空間と、ベローズタイプで収縮及び弛緩するしわ部６２を持つパック部材６０；前記収納空間を開放または密閉させると同時に前記しわ部６２を圧縮しながら前記収納空間の内部を真空状態で維持させることができるように前記パック部材の上端に備えられたファスナー部材６３を備えるとともに、圧縮パックのパッキング構造の上端が開放して下端が密閉した箱状を持ち、前記しわ部６２がその上端に一体的に連結され、前記しわ部６２を圧縮してパック部材６０を実質的に内在させることができ、透明窓４１が備えられたケース部材４０；及び前記パック部材６０をケース部材４０の内部空間に内在させた状態で前記ケース部材４０の上端を密閉させることができ、取っ手５１が備えられた蓋部材５０をさらに備え；前記収納空間に収納対象物を収納して前記しわ部６２を圧縮させるとき、前記しわ部６２がケース部材によって案内されながら収縮することを特徴とする。
【０００６】
前記考案は、パック部材の上下面に膨出しなく、一定の形態に圧縮させて積層、保管することができるものであり、ケース部材によってこれら積層されたパック部材をきちんと保管することができる効果がある。
【０００７】
前記考案も前述した真空圧縮パックと同様に、前記パック部材の上端に備えられたファスナー部材６３に電気掃除機の吸入管を入れて圧縮させた後、ファスナー部材６３を締め付けることで物品を保管するようにする。
【０００８】
前述した真空包装の例は、体積の大きな物品を入れて圧縮させるために、その上端にファスナー部材が設けられたものであり、ファスナー部材の一部のみを開き、これに電気掃除機の吸入管を入れて吸入させるものであった。したがって、吸入管とファスナー部材の開放空間の間を通じて外部の空気が吸入されるので、吸入効率が低下して迅速な吸入が難しくなった。また、外部の空気がパック部材に吸い込まれながら騷音が発生し、真空を維持するために電気掃除機の吸入管を迅速に抜き取った後、ファスナー部材を速かに締め付けなければならない取扱上の煩わしさがあるものである。さらに、このような状態では、外部からの空気流入によって高い真空状態を得にくいという限界が発生する問題点がある。
【０００９】
また、圧縮パックのパッキング構造のパック部材はしわ部が形成されたものであり、その上端にファスナー部材が設置されたものなので、市中で易しく求めることができなく、その価格が高いという問題点がある。
【００１０】
従来、真空包装の他の例としては、電気掃除機の吸入管でパック部材の内部を真空状態にするための別途の空気排出口が備えられた真空圧縮パックが特許文献２（折畳可能な包装ケースの真空用空気排出口、２００４．７．８）に開示されたことがある。
【００１１】
前記考案は、前述した真空包装の一例において真空状態にする場合の吸入効率の低下、騷音発生、真空維持の困難さ、外部空気の流入の欠点を補うためのもので、空気排出口が折畳可能な包装ケースに一体に備えられるので、包装ケースの内部空気の排出が容易になされるようにする効果がある。
しかし、前記考案は、前述した圧縮パックのパッキング構造のパック部材と同様に、市中で易しく求めることができなく、その価格が高いという問題点があった。そして、折畳可能な包装ケースが破損される場合、真空状態が解除されるので、リサイクルができなく、新たに購入しなければならない欠点がある。さらに、真空包装が完了すれば、その形態が比較的一様でなくて積んで保管しにくいため、保管が不便であるという欠点があるものであった。
【先行技術文献】
【特許文献】
【００１２】
【特許文献１】大韓民国実用新案登録第２０−０３２６５９２号明細書
【特許文献２】大韓民国実用新案登録第２０−０３５６７０９号明細書
【発明の概要】
【発明が解決しようとする課題】
【００１３】
本発明は前記のような問題点を解決するためのもので、市中で易しく入手可能な低価の一般包装袋を用いることができ、体積の大きな物品を高真空状態に圧縮させることができ、もっと小さな体積に便利に圧縮し、多量の保管の際にはきちん積んで安全に保管することができる真空包装容器を提供することにその目的がある。
【課題を解決するための手段】
【００１４】
本発明は、包装袋を一定の規格に形成される箱体の内部に交替可能に収容し、収容した状態で電気掃除機で前記包装袋を高真空状態に圧縮させることができるようにすることにより前記の目的を達成する。
【発明の効果】
【００１５】
前記のような構成による本発明の包装袋を用いた真空包装容器は、箱体に包装袋を交替可能に収容し、前記包装袋に保管物を入れて電気掃除機で圧縮させることができるので、高真空状態に迅速で便利に圧縮することができるようになる。そして、包装袋をいつでも交替して使うことができるので経済的であり、保管の際には箱体によって保管物が保護されるので、安全な保管が可能である。同時に、多量の保管の際にも箱体をきちんと積んで保管することができるので、効率的な保管が可能となる。
【図面の簡単な説明】
【００１６】
【図１】従来の圧縮パックのパッキング構造を示す例示図である。
【図２】従来の圧縮パックのパッキング構造を示す例示図である。
【図３】本発明による真空包装容器の構成を示す例示図である。
【図４】本発明による排出バルブによって包装袋が箱体に設置された状態を断面で示す例示図である。
【図５】本発明の一実施例による排出バルブの構造を示す分解斜視図である。
【図６】本発明の一実施例による排出バルブの構造を分解して示す断面図である。
【図７】本発明が一実施例による排出バルブに電気掃除機の吸入管が連結され、空気が排出される状態を断面で示す例示図である。
【図８】本発明の他の実施例による排出バルブの構造を分解して示す断面図である。
【図９】本発明の他の実施例による排出バルブに電気掃除機の吸入管が連結されて空気が排出される状態を断面で示す例示図である。
【発明を実施するための形態】
【００１７】
以下、本発明の包装袋を用いた真空包装容器を図３〜図９に基づいて詳細に説明する。
【００１８】
図３は本発明に真空包装容器の構成を示す例示図、図４は本発明による排出バルブによって包装袋が箱体に設置された状態を断面で示す例示図である。
【００１９】
図示のように、本発明による包装袋を用いた真空包装容器１００は、内部に衣類や布団のような保管物を収納することができる包装袋５００と前記包装袋５００を収容する箱体１００を備え、前記包装袋５００に連結され、空気が通過する排出バルブＶが前記箱体１００の壁面に形成されている。このような排出バルブＶを通じて包装袋５００の内部空気を電気掃除機などで吸いこんで包装袋５００に収納された保管物を真空包装するものである。前記排出バルブＶは吸いこんだ空気が再び包装袋５００側に逆流しないようにする装置を含まなければならない。
【００２０】
前記箱体１００は、壁面の一側に通孔１０２が形成され、前記排出バルブＶの一端が貫通して設置される。そして、上部が開放して上部を覆う蓋１１０が備えられる。
【００２１】
前記箱体１００の側面には取っ手１２０が備えられることができ、移動の便宜性のためにコマ（図示せず）が設置されることができ、必要な場合、保安のためのロック装置を備える。
【００２２】
このような箱体１００は市中で易しく入手可能な一般的な紙箱、木箱、プラスチック箱などである。前記のように、箱体１００を備えることによって、必要な場合にきちんと積んで保管することができるので、効率的な保管が可能となる。
【００２３】
前記包装袋５００は箱体１００に収容されるもので、上端が開口して保管物を収納することができる形態に構成される。市中で易しく入手可能な通常のビニル袋を使うことができ、あるいは規格化して前もって製作されたものを使うこともできる。
【００２４】
前記箱体１００に設置されて包装袋５００の内部空気を吸いこむ通路の役目をする排出バルブＶは、空気を吸いこむことができるし吸いこんだ空気が再び包装袋５００側に逆流しないようにする構成であれば、どの構成でも可能である。以下、実施例に基づいて説明する。
【００２５】
図５は本発明の一実施例による排出バルブの構造を示す分解斜視図、図６は本発明の一実施例による排出バルブの構造を分解して示す断面図、図７は本発明の一実施例による排出バルブに電気掃除機の吸入管が連結され、空気が排出される状態を断面で示す例示図である。
【００２６】
図示のように、本発明の一実施例による排出バルブＶは包装袋５００の内部空気を外部に排出する通路の役目をするもので、前記包装袋５００の内側から前記包装袋５００及び箱体１００の壁面を貫通して固定され、電気掃除機の吸入管６００が連結されるインナーカプラー２００を含んでなる。
【００２７】
前記インナーカプラー２００は箱体１００の壁面に貫設された通孔１０２に螺合できるが、好ましくは前記箱体１００の外面に接するアウターカプラー３００と結合して固定できる。
【００２８】
前記アウターカプラー３００は前記箱体１００の外側で前記通孔１０２の周囲に付着されるか螺合するようにして位置を固定することができるもので、円形または多角形の板状を成すとともに、前記通孔１０２と連通する貫通孔３１０が形成される。まるで、ナットのような形状に形成されるものである。
【００２９】
アウターカプラー３００との結合のために、前記インナーカプラー２００には締結部２１０が設けられ、前記締結部２１０と一体的に形成され、箱体１００の内部から締結部２１０が通孔１０２を通じて抜け出ないように保持する役目をする結合フランジ２３０が形成される。
【００３０】
締結部２１０は内部が中空となり、電気掃除機の作動の際に空気が排出されるようにする排出孔２０２が形成され、外周面には前記アウターカプラー３００の貫通孔３１０と螺合するネジ部が形成されている。そして、前記締結部２１０の末端は鋭利に形成されることにより、締結部２１０が包装袋５００を穿孔しながら貫通することができるようにする。
【００３１】
このような構成によって、前記インナーカプラー２００が包装袋５００の内側から前記包装袋５００を穿孔しながら貫通した後、箱体１００の外部でアウターカプラー３００と結合して包装袋５００を箱体１００の内壁に固定させる役目をするようになる。
【００３２】
前記締結部２１０の内周面には電気掃除機の吸入管６００と結合される吸入管結合部２２０が形成される。吸入管結合部２２０は、包装袋５００内の真空形成の際、電気掃除機の吸入管６００に挿合される。前記吸入管６００と吸入管結合部２２０の結合の際、電気掃除機の吸入管６００の直径に関係なく結合することができるように、吸入管結合部２２０が円錐状となることが好ましい。また、前記吸入管結合部２２０はシリコンのような弾性材でなり、吸入管６００との密着の際、密閉状態を維持することができるようにすることが好ましい。
【００３３】
前記吸入管結合部２２０の内周面にはネジ部が形成され、前記排出孔２０２を通じて空気が逆流することを防止する密閉栓２８０を締結することができる。
【００３４】
結合フランジ２３０の前面には密着面２３２が形成される。前記密着面２３２は、アウターカプラー３００に形成された貫通孔３１０と前記締結部２１０の螺合の際、包装袋５００を箱体１００の内壁に密着して固定させる役目をする。このために、前記密着面２３２には、包装袋５００が箱体１００と密着面２３２の間から分離されることを防止するために、前記包装袋５００を加圧して固定させる多数の環状突起を形成することができる。
【００３５】
結合フランジ２３０は前記密着面２３２の外側端部から箱体１００の内側方向に延設される。このように形成される結合フランジ２３０は内部が空いており、これに後述するチェックプレート２４０が収容され、そして後述するチェックプレート支持部２５０が結合される。
【００３６】
前記のように形成される排出バルブＶは包装袋５００に空気が逆流することを制限することにより、空気が包装袋５００から排出される方向にだけ流れることができるようにする。これにより、包装袋５００から空気を吸いこんで排出させれば、空気が再び包装袋５００に逆流することができなくなる。
【００３７】
このために、チェックプレート２４０を備える。チェックプレート２４０は前記インナーカプラー２００に形成された結合フランジ２３０の内部空間に収容され、電気掃除機の作動の際に開放して空気を排出するようにする。そして、前記包装袋５００の空気排出を完了した状態では元の位置に復帰して閉鎖することで、包装袋５００内への空気流入を遮断するようになる。
【００３８】
前記チェックプレート２４０は板状の胴体を持ち、中央部に開閉門２４２が形成されることにより空気の逆流を遮断する。開閉門２４２は前記チェックプレート２４０の胴体一部が切開されて開閉可能に形成されるもので、空気吸入方向に開放して空気の排出される排出孔２０２を開放し、前記包装袋５００にかかる負圧によって元の位置に復帰して閉鎖する。
【００３９】
また、前記開閉門２４２が切開されて形成される場合、開閉門２４２の外周面には箱体１００の内壁方向に対して外側直径が内側直径より大きな傾斜面２４４が形成され、前記傾斜面２４４が装着されるように、前記チェックプレート２４０にも傾いた装着面２４６が形成される。
【００４０】
このような傾斜面２４４と装着面２４６によって、開閉門２４２が前記包装袋５００内にかかる負圧によって包装袋５００の内側に開放することを制限する。よって、前記開閉門２４２が閉鎖した状態を維持することで、前記開閉門２４２を通じて外部の空気が前記包装袋５００に逆流することを防止することができるようになる。
【００４１】
前記開閉門２４２は弾性復元力を有するものが好ましい。前記開閉門２４２は、電気掃除機の作動によって開放した状態で前記包装袋５００の真空形成完了の後、前記包装袋５００にかかる負圧によって元の位置に復帰するが、前記包装袋５００にかかる負圧による復帰の際、外部の空気も流入することができるので、弾性復元力の付加によって速かに復帰するようにすることが好ましい。このような弾性復元力はチェックプレート２４０を弾性ゴム材で形成することで得ることができる。
【００４２】
チェックプレート支持部２５０はインナーカプラー２００に形成された結合フランジ２３０に結合して前記チェックプレート２４０を支持する役目をするもので、前記開閉門２４２によって開閉する排出口２５２が形成されている。
【００４３】
排出口２５２の直径は前記開閉門２４２の直径より小さいことが好ましい。これにより、前記開閉門２４２が前記包装袋５００内にかかる負圧によって包装袋５００への空気流入方向に移動することを制限するようになる。したがって、前記開閉門２４２が閉鎖した状態を維持して、前記開閉門２４２を通じて外部の空気が前記包装袋５００に流入することを防止することができるようになるものである。
【００４４】
前記チェックプレート２４０前方には支持リング２６０をさらに設けることができる。前記支持リング２６０は前記インナーカプラー２００に形成された結合フランジ２３０の内部に収容される。
【００４５】
このような支持リング２６０は前記チェックプレート２４０の前方に位置してチェックプレート２４０を支持するとともに結合フランジ２３０の背面を支持することで、チェックプレート２４０と結合フランジ２３０の間に一定の空間を形成することにより、電気掃除機で包装袋５００の空気を吸いこんで排出させる場合、前記開閉門２４２の開放の際、円滑な作動が可能となる。
【００４６】
図８は本発明の他の実施例による排出バルブの構造を分解して示す断面図、図９は本発明の他の実施例による排出バルブに電気掃除機の吸入管が連結され、空気が排出される状態を断面で示す例示図である。
【００４７】
図示のように、本発明の他の実施例による排出バルブＶは、前記包装袋５００の内側から前記包装袋５００及び箱体１００の壁面を貫通して固定され、電気掃除機の吸入管６００が連結されるインナーカプラー２００を含んでなる。
【００４８】
前記インナーカプラー２００は箱体１００に螺合することができるが、好ましくは前記箱体１００の壁面外側に接するアウターカプラー３００と結合して固定することができる。
【００４９】
前記アウターカプラー３００は前記箱体１００の外側で前記通孔１０２の周囲に付着されるか螺合され、円形または多角形の板状となり、前記通孔１０２と連通する貫通孔３１０が形成される。まるで、ナットのような形状に形成されるものである。
【００５０】
前記アウターカプラー３００は、前記箱体１００に付着される場合、接着剤で付着することができる。しかし、これに限定されるものではなく、前記箱体１００にネジで結合することができる。
【００５１】
インナーカプラー２００は、内部が中空となり、電気掃除機の作動の際に空気が排出されるようにする排出孔２０２が形成され、前記包装袋５００の内側に位置し、前記包装袋５００を穿孔し、前記箱体１００の外部に結合された前記アウターカプラー３００と結合することで、前記包装袋５００を前記箱体１００の内壁に固定させる役目をする。
【００５２】
前記インナーカプラー２００には、アウターカプラー３００と結合する締結部２１０が形成され、前記締結部２１０と一体的に形成され、箱体１００の内部で締結部２１０が通孔１０２を通じて抜け出ないように保持する役目をする結合フランジ２３０が形成される。
【００５３】
前記締結部２１０の外周面には、箱体１００を貫通して前記アウターカプラー３００の貫通孔３１０に螺合するために、ネジ部が形成される。そして、前記締結部２１０の末端には、電気掃除機の吸入管６００と結合し、包装袋６００を穿孔する役目をすることができる吸入管結合部２２０が形成される。
【００５４】
前記吸入管結合部２２０は、吸入管６００が結合するとき、吸入管６００の直径に関係なく結合できるように、外周面の直径が一地点から結合フランジ２３０側に次第に増加するように形成することが好ましい。そして、前記吸入管結合部２２０の内部は中空となって排出孔２０２と連通しており、前記排出孔２０２を塞いで排出空気の逆流を防止する密閉栓２８０が備えられる。
【００５５】
前記密閉栓２８０には作動棒２８２が形成されている。前記作動棒２８２は長手方向に沿って切開スリット２８３が形成されたもので、排出孔２０２を貫通し、反対側で支持ナット２８４に締結されることにより、排出孔２０２からの離脱が防止されるように設置される。この際、前記作動棒２８２はスプリング２８６が嵌合されることで、排出孔２０２内で弾性的に動くことができるように設置される。よって、吸入管６００を通じて空気を吸いこめば、密閉栓２８０が吸入管６００側に引かれ、作動棒２８２が排出孔２０２の外に突出するとともに切開スリット２８３も排出孔２０２の外部に露出される。これにより、空気が排出孔２０２に沿って移動してから作動棒２８２と排出孔２０２の間の隙間及び切開スリット２８３を通じて外部に排出され、空気の吸入が止まれば、スプリング２８６の弾性力と包装袋５００にかかる負圧によって密閉栓２８０が元の位置に復帰して排出孔２０２を塞ぐことで、空気の逆流を防止するようになるものである。
【００５６】
一方、前記のような本発明の他の実施例による排出バルブＶはインナーカプラー２００の外周に結合される押圧リング２７０をさらに含むことができる。よって、押圧リング２７０で包装袋５００を箱体１００の壁面に強く押圧することで堅固な固定が可能となる。
【００５７】
以下、前記のような構成による本発明の包装袋を用いた真空包装容器を組立て、保管物を真空包装する過程を説明する。
【００５８】
まず、蓋１１０を備えた箱体１００と上部が開口した通常の包装袋５００を購入する。箱体１００の壁面には通孔１０２が形成されているが、現場でドリルで直接形成することも可能である。
【００５９】
その後、前記箱体１００に排出バルブＶを設置する。前記箱体１００の外側の前記通孔１０２の周囲にアウターカプラー３００を接着剤やネジで固定させ、ついで包装袋５００を前記箱体１００の内部に収容させ、包装袋５００の一側面を前記通孔１０２の周囲に隣接させる。
【００６０】
その後、インナーカプラー２００を前記包装袋５００の内側に位置させ、前記インナーカプラー２００の締結部２１０を前記アウターカプラー３００の貫通孔３１０に螺合させる。このようにすれば、前記インナーカプラー２００の締結部２１０が前記包装袋５００を貫通し、前記締結部２１０が前記貫通孔３１０に締結される。この際、包装袋５００は締結部２１０の貫通する孔が前もって形成されているものを採択することができる。
【００６１】
このような過程によって排出バルブＶの設置が完了する。このような状態で、寝具類及び衣類などの保管物を前記包装袋５００に入れ、開口した上端を紐などで密閉させる。ついで、電気掃除機の吸入管６００を吸入管結合部２２０に結合し、電気掃除機を作動させる。
【００６２】
電気掃除機が作動すれば、吸入力によって包装袋５００の内部空気が排出孔２０２を通じて外部に排出されて内部が真空状態となる。その後、適切な時点で電気掃除機の作動を停止させれば、包装袋５００内にかかる負圧及び弾性復元力によって排出孔２０２が閉鎖して包装袋５００の内部を真空状態に維持するようになる。
【００６３】
その後、電気掃除機の吸入管６００を吸入管結合部２２０から分離した後、箱体１００を蓋１１０で覆うことで真空包装を完了する。
【００６４】
以上説明したような前記包装袋５００と排出バルブＶは一体的に形成されるものを例としたが、排出バルブＶは箱体１００の壁面に前もって固定設置し、包装袋５００に前記排出バルブＶに連結される管を備え、互いに螺合する方式などを採択して組立式で組み立てるように構成することもでき、当業者の技術水準で設計を変更して実施することができる。
【図１】
0005905480.tif 000002
【図２】
0005905480.tif 000003
【図３】
0005905480.tif 000004
【図４】
0005905480.tif 000005
【図５】
0005905480.tif 000006
【図６】
0005905480.tif 000007
【図７】
0005905480.tif 000008
【図８】
0005905480.tif 000009
【図９】
0005905480.tif 000010